(57)【要約】      （修正有）【課題】外部筋骨補強アセンブリを取り付けることができる上着を提供する。【解決手段】外部筋骨補強アセンブリ２０を取り付けることができる上着１であり、上着１および外部筋骨補強アセンブリ２０を含む。外部筋骨補強アセンブリ２０は、固定装置４によって上着１に固定される。一般的な上着１の機能に加えて、外部筋骨補強アセンブリ２０を用いて、矯正、リハビリまたは保護を補助する機能をそなえ、上半身の筋骨および腰部構造の機能を強化する機能を有する。固定装置４は、ポケット開口部４１を有する少なくとも１つのポケット本体４０をそなえ、ポケット本体４０は、連結装置により、上着１に固定され、ポケット本体４０の配置位置は人体の筋骨位置あるいは個人のニーズに従って配置され、外部筋骨補強アセンブリ２０は少なくとも一つの外部筋骨プレート２１を含み、外部筋骨プレート２１はポケット開口部４１よりポケット本体４０内に挿入して固定されている。【選択図】図１
0003220013.tif 000002
【実用新案登録請求の範囲】
【請求項１】
一種の外部筋骨補強アセンブリを取り付けることができる上着であり、前記外部筋骨補強アセンブリは人体の筋骨を支える機能を補助し、その特徴は、前記上着は固定装置を配置し、前記固定装置は前記外部筋骨補強アセンブリを前記上着に固定することを特徴とする、外部筋骨補強アセンブリを取り付けることができる上着。
【請求項２】
前記固定装置は、ポケット口を有する少なくとも１つのポケット本体をそなえ、前記ポケット本体は、連結装置により、前記上着に固定され、前記ポケット本体の配置位置は人体の筋骨位置あるいは個人のニーズに従って配置され、前記外部筋骨補強アセンブリは少なくとも一つの外部筋骨プレートを含み、前記外部筋骨プレートは前記ポケット口より前記ポケット本体内に挿入して固定されていることを特徴とする、請求項１に記載の外部筋骨補強アセンブリを取り付けることができる上着。
【請求項３】
前記上着は、中間部分と、この中間部分の前端および後端にそれぞれ位置する胸部および背部とを含む基布を有し、前記中間部分には貫通孔が中央にあり、前記胸部には、前記貫通孔の中央に対応する締結部材が設けられており、前記締結部材の締結方向は、前記中間部分に対して垂直であり、前記胸部は締結部材によって境界され、左前半部と右前半部との２つに分けられ、前記背部は、上、下に配置された上部布面と下部布面と、から構成され、前記上部布面には、前記胸部端部に面した収納ポケットが配置され、前記収納ポケットの端部に面する前記上部布面には、前記収納ポケットと連通するポケット開口部が設けられ、前記背部の左、右両側にはファスナーがそれぞれ配置され、前記下部布面下端が上向きで前記上部布面と折り畳むとき、前記２つのファスナーは前記下部布面と前記上部布面が折り畳んだ内部を締結して内部空間を形成して、収納ポケットを形成し、また、前記上着は２つの連結部材を有し、それぞれの前記連結部材は前記胸部および前記背部の左右両側に設置され、前記胸部および前記背部両側を締結することを特徴とする、請求項２に記載の外部筋骨補強アセンブリを取り付けることができる上着。
【請求項４】
前記上着は２組のクランプ装置をさらにそなえ、前記２組のクランプ装置は、それぞれ、前記貫通孔の左側および右側に配置され、前記クランプ装置の各組は、前クリップと後クリップとを含み、前記前、後のクリップが中間位置で交差し、交差位置において、ピボット軸により貫通され、回転を自在に接続され、前記前、後クリップ下端の角度がクランプ間隔を形成し、人の肩を挿入するのに用いることを特徴とする、請求項３に記載の外部筋骨補強アセンブリを取り付けることができる上着。
【請求項５】
前記上部布面は複数の通気孔を有し、収納ポケットはメッシュポケットであることを特徴とする、請求項３に記載の外部筋骨補強アセンブリを取り付けることができる上着。
【請求項６】
前記ピボット軸の両端はそれぞれバックルに回転を自在に接続されていることを特徴とする、請求項４に記載の外部筋骨補強アセンブリを取り付けることができる上着。
【請求項７】
前記前、後クリップの上端は着用が可能なプラットフォームを形成することを特徴とする、請求項４に記載の外部筋骨補強アセンブリを取り付けることができる上着。
【請求項８】
前記上着はさらに２つのバックルストラップを含み、前記締結部材を引き離すと、左前半部と右前半部とが分離され、かつ各別に帯状に巻くことができ、前記２つのバックルストラップは、帯状に巻かれた前記左前半部および前記右前半部の下端を前記背部の左右両側に接続され、前記２つのバックルストラップはリュックサックのストラップを構成することを特徴とする、請求項３に記載の外部筋骨補強アセンブリを取り付けることができる上着。
【請求項９】
前記連結装置は縫製により固定されていることを特徴とする、請求項２に記載の外部筋骨補強アセンブリを取り付けることができる上着。
【請求項１０】
前記連結装置はファスナーであることを特徴とする、請求項２に記載の外部筋骨補強アセンブリを取り付けることができる上着。
【請求項１１】
前記連結装置は面ファスナーであることを特徴とする、請求項２に記載の外部筋骨補強アセンブリを取り付けることができる上着。
【請求項１２】
前記連結装置は、ボタンバックル方式によって固定されることを特徴とする、請求項２に記載の外部筋骨補強アセンブリを取り付けることができる上着。
【請求項１３】
前記下部布面の内面の左端および右端には、それぞれウエストガードが設けられ、前記２つのウエストガードの一端は下部布面に接続して固定され、もう一端は引っ張り可能であり、前記２つのウエストガードを臍の前に引き寄せ、締結して腰を保護し、臍を暖かく保つことができることを特徴とする、請求項３に記載の外部筋骨補強アセンブリを取り付けることができる上着。
【請求項１４】
前記外部筋骨補強アセンブリは記憶材料で構成されていることを特徴とする、請求項１に記載の外部筋骨補強アセンブリを取り付けることができる上着。
【請求項１５】
前記外部筋骨補強アセンブリは熱温度装置および温度制御装置を配置し、前記熱温度装置は熱を伝達して前記外部筋骨補強アセンブリに熱温度を生じさせ、前記温度制御装置は前記熱温度装置の温度を調整し制御できることを特徴とする、請求項１４に記載の外部筋骨補強アセンブリを取り付けることができる上着。
【考案の詳細な説明】
【技術分野】
【０００１】
本考案は一種の外部筋骨補強アセンブリを取り付けることができる上着に関する。特に、一般的な上着の機能に加えて、体に上着が着用されるとき、外部筋骨補強アセンブリを利用して上衣が矯正、リハビリまたは保護を補助し、上半身の筋骨および腰の構造の機能を強化する機能も有するように使用される。重さ支え、間違って立って、座っている姿勢および作業姿勢エラーの習慣によって引き起こされるけがを防止する。外部筋骨補強アセンブリはまた、着用者の形状記憶および温度調節可能性を有する。同時に、異なるニーズに応じて、外部筋骨補強アセンブリをスマートなプラットフォームを形成するための着用が可能なプラットフォームとして使用できる。
【背景技術】
【０００２】
一般的に言えば、上着は体に着用され、上着の固有の機能に加えて、人体の上半身の重要な筋骨に対する強い矯正または保護はない。また、出かけるときには、通常、ニーズに合わせてキャリーバッグに上着を入れる。さらに、リュックサックに上着を取り付けたり、上着にリュックサックを取り付けたり、必要に応じてリュックサックに個人所有物を入れたりできるように設計されている。この種の設計は上着とリュックサックをカバーしている。リュックサックの支える重量がオーバーすると、リュックサックが垂れ下がり、襟が首をきつく締め、首の不快感につながることがよくある。しかし、ベストとキャリーオンリュックサックは２つの別々物品であるが、しばしば一緒にリンクされている。
【０００３】
本考案者は、上着が外部筋骨補強アセンブリを含み、基本機能に加えて体に着用されていれば、人体の上半身にとって重要である筋骨に比較的強い矯正できると考える。また、いつでも体の筋骨の姿勢を矯正することができ、さまざまな矯正フレームを着用する必要はなく、より価値がある。さらに、トップがリュックサックに変換されるとき、リュックサックに重さがかかると、リュックサックの重さを分担できる外部筋骨補強アセンブリがあれば、その機能性はさらに高まる。以上のことを踏まえて、本考案者は設計を改善し、本考案の創作ができた。
【考案の概要】
【考案が解決しようとする課題】
【０００４】
本考案の主な目的は、一種の上着を提供し、上着は人体に着用され、一般の衣服機能を有するにも拘わらず、矯正、リハビリ、あるいは保護機能を補助し、人体上半身の筋骨および腰の構造の機能を強化する機能も有する。重さ支え、間違って立って、座っている姿勢および作業姿勢エラーの習慣によって引き起こされるけがを防止する。
【０００５】
本考案のもう一つの目的は、リュックサックの重さのために首がきつく締め付けられることなくキャリーオンリュックサックに変換され得る上着を提供することである。
【課題を解決するための手段】
【０００６】
上記課題を解決するために、本考案は外部筋骨補強アセンブリを取り付けることができる上着を提供する。本考案の主な特徴は、上着の内側面または外側面が、固定装置によって外部筋骨補強アセンブリを固定することである。
外部筋骨補強アセンブリは、複数の外部筋骨プレートを含み、各外部筋骨プレートの上着における位置は、人体の筋骨の位置および個人のニーズに従って配置されている。これにより、上着を体に着用され、人体の筋骨、姿勢を矯正し、人体の上半身の重要な構造を随時保護する機能を有する。
【０００７】
本考案のもう一つの特徴は、基布で形成され、中間部位に位置する中間部と、中間部位の前、後端に位置する胸部と背部とを含む上着をそなえている。
中間部は中心に貫通孔を有し、胸部は中間部位に垂直方向に向ける締結部材を配置され、締結部材をあけることにより、胸部を左前半部と右前半部を分けることができる。背部の左右両側にはそれぞれファスナーが配置され、ファスナーにより、背部を上、下半分に折り畳んで締結し、収納ポケットを形成する。２つのファスナーの位置にそれぞれサイドポケット開口を形成して、上着が収納ポケットをそなえるバッグパックに変換できる。
【０００８】
本考案のまた別の特徴は貫通孔の左右両側にはそれぞれクランプ装置が固定されている。各クランプ装置は前クリップおよび後クリップを含み、前、後クリップは中間位置で互いに交差し、ピボット軸により交差位置を貫通して接続されている。前、後クリップの下端はクランプ間隔を形成し、上着を着用するとき、クランプ間隔は人体の肩を挿入でき、リュックサックとして使用されるとき、肩にかけられるリュックサックを支える機能を有し、追加物件の載置プラットフォームとして使用されることもできる。
【考案の効果】
【０００９】
本考案は、矯正、リハビリまたは保護を補助する機能をそなえ、上半身の筋骨および腰部構造の機能を強化する機能を有する。重さ支え、間違って立って座っている姿勢および作業姿勢エラーの習慣によるけがを防ぐことができる。そして、外部筋骨補強アセンブリは、形状記憶および着用者の温度調節機能を有する。同時に、外部筋骨補強アセンブリは、異なるニーズに応じて着用可能なスマートプラットフォームとして使用できる。
【図面の簡単な説明】
【００１０】
【図１】本考案の実施形態における上着が展開している平面図である。
【図２】本考案の実施形態における外部筋骨補強アセンブリ一本の外部筋骨プレートの立体模式図である。
【図３】本考案の実施形態における外部筋骨補強アセンブリ一本の外部筋骨プレートの側面図である。
【図４】本考案の図１の２-２線に沿った断面図である。
【図５】体に着用された本実施形態の上部の概略図。
【図６】図３の側断面図である。
【図７】本考案がリュックサックとして使用されている実施形態の概略図である。
【図８】図５の側断面図である。
【図９】本考案実施形態の上着がクランプ装置を配置している平面展開図である。
【図１０】本考案のクランプ装置の立体図である。
【図１１】本考案のクランプ装置の立体図である。
【図１２】リュックサックを背負っている本考案別の実施例の参考図である。
【図１３】ハンドバッグおよびサイドショルダーバッグとしての本考案の正面図である。
【図１４】ハンドバッグおよびサイドショルダーバッグとしての本考案の正面図である。
【図１５】ハンドバッグおよびサイドショルダーバッグとしての本考案の正面図である。
【図１６】本考案の外部筋骨補強アセンブリと熱温度装置および温度制御装置回路図である。
【考案を実施するための形態】
【００１１】
上記目的および効果を達成するための以下の技術的手段および構成について、図面を参照して説明する。図１ないし図４を参照すると、本実施形態の上着１では、上着１（例えば、上着１の内面に位置する）に、固定装置４が外部筋骨補強アセンブリを固定するために使用される。外部筋骨補強アセンブリ２０は、複数の外部筋骨プレート２１を含み、外部筋骨プレート２１は、人間の骨の位置に応じて、あるいは個々のニーズに応じて、上着１の位置に配置され、上着１が体に着用され、体の骨の構造を支持する効果がある。
【００１２】
上着１は、中間部１１と、この中間部１１の前後両端にそれぞれ位置する胸部１２および背部１３とを有する基布１０をそなえている。中間部１１の中央部には、ヘッドが貫通する貫通孔１１０が設けられている。胸部１２には、個人所有物を便利に保管するため、前側の両側にポケット１２０が設けられている。対応する貫通孔１１０の中央には、締結部材１１１（例えば、ファスナーまたは面ファスナー）が設けられている。締結部材１１１の締結方向は、中間部１１に対して垂直であり、貫通孔１１０に連結されている。胸部１２は、締結部材１１１によって２つに分割されており、左前半部１２aと右前半部１２bとを有しているか、または締結して完全な胸部１２を形成している。胸部１２の前側には、複数のバックル１１２が設けられている。背部１３は、上、下に配置された上部布面１３aと下部布面１３bとから構成されている。上部布面１３aには、通気口１３１が絡み合って配置され、上部布面１３aには、胸部１２の端部に対向する収納ポケット１３２が設けられている（図４に示すように、メッシュバッグとすることができ、通気孔１３１とメッシュバッグの配置により上部布面１３aを通気可能とする）。収納ポケット１３２の面積は、上部布面１３aの面積にほぼ等しい。そして、貫通孔１１０の端部に隣接する上部布面１３aは、対応する収納ポケット１３２の端部に収納ポケット１３２と連通して、物品を中に収納できるポケット口１３３が設けられている。背部１３の左右両側には、それぞれファスナー１３４a、１３４ｂが設けられている。２つのファスナー１３４a、１３４ｂは、下部布面１３bの下端を上方に折り返し、上部布面１３aに折り畳むことにより、下部布面１３bと上部布面１３aとが折り畳んだ内部が締結して内部空間を形成して収納ポケット１４を形成する(図８)。収納ポケット１４と収納ポケット１３２とでポケットの内のポケットが構成され、収納ポケット１４の左、右両側のファスナー１３４a、１３４ｂがサイドポケット開口１４０を形成するように位置決めされる。下部布面１３bの内面の左右両端には、それぞれウエストガード１５a、１５bが設けられている。2つのウエストガード１５a、１５bの一端は下部布面１３b（縫製固定）に固定され、他端は引っ張られて人のへその位置まで伸長して固定されることができる（面ファスナーなど）。人の腰を保護し、臍を暖かく保つためである。２つの連結部材１６a、１６bは長さ調節可能であり、それぞれ胸部１２と背部１３の左右に配置されている。人体に基布１０を着用した後、胸部１２と背部１３とを締結することにより、基布１０が人に着用されてベストタイプ上着１が形成される。ベストタイプの上着１の両側に、それぞれスリーブが接続されれば長袖の上着１を形成できる。２つの連結部材１６a、１６bは、使用機能を増加するため、各連結部材16a、16bは、任意で物品を手で置くための便利なポケット１７a、１７bでそれぞれ固定される。２つのバックルストラップ１８a、１８bの長さは調整可能であり、締結部材１１１を引き離すと、胸部１２の左前半部１２aと右前半部１２ｂとが分離され、左前半部１２aと右前半部１２ｂを個別に帯状に巻くことができる。そして、２つのバックルストラップ１８a、１８bにより帯状左前半��１２aと右前半部１２bの下端は背部１３の左右両側に接続されている。そうすれば、２つのバックルストラップ１８a、１８bは、リュックサック２が使用されるときのハーネスを構成する。
【００１３】
固定装置４は、ポケット開口部４１を有する少なくとも1つまたは複数のポケット本体４０（図１）を含み、ポケット開口部４１は上方に面して布で作られ、連結装置によって上着１（すなわち基布１０）に固定される（上着１の内面または外面に位置できる）。各ポケット本体４０の位置は、人間の骨の位置または個人のニーズ位置に従って構成されている。連結装置は、ポケット本体４０と上着１とを縫製が可能に接続できる。連結装置はファスナーでもよく、ポケット本体４０は上着１に接続され、連結装置は面ファスナーであってもよく、ポケット本体４０は上着１に接続され、連結装置はボタンバックル方式であってもよく、ポケット本体４０は、上着１に接続される。
【００１４】
外部筋骨補強アセンブリ２０（図１、図２、図３に示す）は、人の骨や筋肉を支持する機能を有し、フレキシブルな記憶材料（例えば、記憶機能を有するアルミニウム合金材料ＣｕＺｎ、ＣｕＺｎＡｌ、ＣｕＡｌＮｉなどの合金、またはポリカーボネート（ＰＣ）材料で合成された構造）により、着用時の着用者元の形状を覚えることができる。図１６を参照すると、外部筋骨補強アセンブリ２０は、熱温度装置５０および温度制御装置５１をさらにそなえて構成される。熱温度装置５０は熱を伝達して外部筋骨補強アセンブリ２０に熱温度を生じさせ、温度制御装置５１は熱温度装置５０の温度を調整し制御できる。熱温度装置５０と温度制御装置５１の配置により、外部筋骨補強アセンブリ２０は、暖かく保たれるように着用者の必要に応じて快適な熱温度を有するように調節できる。外部筋骨補強アセンブリ２０の外部筋骨プレート２１の各々は、ポケット本体４０内のポケット開口部４１に挿入することによって個々に固定されるが、必要に応じて取り外すこともできる。外部筋骨プレート２１のそれぞれの位置は、人間の骨の位置または個人のニーズ位置に従って構成されている。例えば、対応する人体の背部の２つの側面および中間の位置にそれぞれ一本の外部筋骨プレート２１が配置される（図1に示すように）。背部の両側に位置する外部筋骨プレート２１は、図２に示すように、上端が前方に向けて下方へ傾けて曲げられているフック２１０を有し、フック２１０は人の肩に引っ掛けることができる。外部筋骨プレート２１は可塑性を持つため、中間部分２１１は人体の背部にしっかりと取り付けることができ、人体の骨および筋肉をサポートする機能を有する。人体の背骨部に対応する外部筋骨プレート２１の上端部は、必要に応じて上方に延び、人体の頚椎を支持する機能を有する。
【００１５】
上着１が体に着用されると、図５および図６に示すように、外部筋骨補強アセンブリ２０は、固定装置４によって固定され、上着１に配置される。人が上着１を着用すると、外部筋骨補強アセンブリ２０は、人体の筋骨に補助的な支持および矯正効果を有し、誤った姿勢およびくる病にかかった人によって姿勢矯正効果が生じる。外部筋骨補強アセンブリ２０は記憶材料で作られているので、元の個人的な着用形状を記憶し、個々の人体リハビリテーションのニーズを記憶できる。外部筋骨補強アセンブリ２０は、着用者のニーズに応じて調整することができ、快適な熱温度を有し、保温性を維持できるからである。上部布面１３ａは通気孔１３１と網目状のポケット構造となっている収納ポケット１３２をそなえているため、上着１は通気性を有する。必要があれば、２つのウエストガード１５a、１５bを臍の前に引き寄せて、締結して腰を保護し、臍を暖かく保つことができる。収納ポケット１３２は、個人の持ち物を収納し、持ち運びできる。
【００１６】
上着１は、図７および図８に示すように、リュックサック２に変換もできる。締結部材１１１を引き離して、胸部１２の左前半部１２aと右前半部１２bとを分離する。左前半部１２aおよび右前半部１２bは、それぞれ各別に帯状に巻かれている。下部布面１３bと上部布面１３aとを半分に折り曲げた後、２つのファスナー１３４a、１３４ｂにそれぞれ接続し、下部布面１３bと上部布面１３aとを折り曲げた内側は収納ポケット１４を形成する。そして、帯状に巻き回わされた左前半部１２aと右前半部１２bの下端は、２つのバックルストラップ１８a、１８bによって背部１３の左右両側に接続されている。そうであれば、２つのバックルストラップ１８a、１８bは、リュックサック２が使用されるときバックルストラップを構成し、図７および図８に示すように、上着１をリュックサック２に変換できる。リュックサック2として使用される場合、外部筋骨補強アセンブリ２０は、柔軟性および可塑性のために基布１０の折り曲げと共に変更され得る。外部筋骨補強アセンブリは支持機能を有するので、リュックサック２の重量を負うことを利用する場合にも、背中を矯正し、肩と腰を保護し、背むし予防や上半身の筋肉や腰のけが（ぎっくり腰）を防ぐこともできる。さらに、収納ポケット１４内に重いものを置くことにより、リュックサック２全体が後退し、貫通孔１１０が人の首を絞め、呼吸が順調でない不快感を引き起こすことを避けることができる。
【００１７】
また、図９ないし図１１に示すように、貫通孔１１０の左右両側に一対のクランプ装置３０が固定されており、各クランプ装置３０は、前部クリップ３１と後部クリップ３２とをそなえている。前、後のクリップ３１,３２は中間位置で交差する（図９、１０参照）。交差位置では、ピボット軸３３が貫通して回転自在に接続する。ピボット軸３３の左右両端にはバックル３３０が設けられている（図９参照）。前、後クリップ３１,３２の下端間の角度はクランプ間隔３４を構成する（図１０、１１参照）。上着１を着用すると、クランプ間隔３４は人の肩部にはめ込まれ、リュックサック２を使用すると、肩の負担を分担して肩の掛かる重量を増やす効果がある。さらに、前部および後部クリップ３１、３２の下端部は、追加された物体の装填および着用プラットフォームとして使用できる。例えば、別のリュックサック３をそなえた固定プラットフォーム（図１２参照）と、ソーラーパネルを運ぶための固定プラットフォームと、ＶＲ（バーチャルリアリティ、略ＶＲ）仮想技術モデルのサポートベースなどと、として持ち運ぶことができる（図１４参照）。
【００１８】
図１３ないし図１５を参照すると、上着１またはリュックサック２を使用しない場合、中間部１１の中心線を境に胸部１２と背部１３の裾を合わせる。バックルストラップ１８aはバックル３３０を貫通しており、上着１を（図１３、１４に示すように）ハンドバッグに変換し、サイドショルダーバッグに変換できる（図１５）。
【００１９】
以上説明したように、本考案によれば少なくとも以下の利点と効果がある。
【００２０】
１．上着を使用する場合、上着には、外部筋骨補強アセンブリを固定するための固定装置が設けられ、上着の着用により、体の矯正、リハビリまたは保護を補助し、上半身の筋骨および腰部構造の機能を強化する機能を有する。重さ支え、間違って立って、座っている姿勢および作業姿勢エラーの習慣によって引き起こされるけがを防止する。
【００２１】
２．外部筋骨補強アセンブリは、記憶材料で作られ、元の個人的な着用形状を記憶し、個人的なリハビリテーションのニーズを記憶できる。さらに、外部筋骨補強アセンブリは、快適な熱温度を有するように着用者のニーズに応じて調節され、暖かさが維持され、外部筋骨補強アセンブリの上着がスマートな上着であると言うことができる。
【００２２】
３．上着は、リュックサック、またはハンドバッグまたはサイドショルダーバッグに変換できる。
【００２３】
４．クランプ装置を着用が可能なプラットフォームとして使用できる。
【００２４】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２５】
１上着
２リュックサック
１０  基布
１１  中間部
１１０貫通孔
１１１締結部材
１１２バックル
１２  胸部
１２ａ左前半部
１２ｂ右前半部
１２０ポケット
１３  背部
１３ａ上部布面
１３ｂ下部布面
１３１通気孔
１３２収納ポケット
１３３ポケット口
１３４ａファスナー
１３４ｂファスナー
１４  収納ポケット
１４０サイドポケット開口
１５ａウエストガード
１５ｂウエストガード
１６ａ連結部材
１６ｂ連結部材
１７ａポケット
１７ｂポケット
１８ａバックルストラップ
１８ｂバックルストラップ
２０外部筋骨補強アセンブリ
２１外部筋骨プレート
２１０フック
２１１中間部分
３リュックサック
３０  クランプ装置
３１  前部クリップ
３２  後部クリップ
３３ピボット軸
３３０バックル
３４クランプ間隔
４固定装置
４０ポケット本体
４１ポケット開口部
５０熱温度装置
５１温度制御装置
【図１】
0003220013.tif 000003
【図２】
0003220013.tif 000004
【図３】
0003220013.tif 000005
【図４】
0003220013.tif 000006
【図５】
0003220013.tif 000007
【図６】
0003220013.tif 000008
【図７】
0003220013.tif 000009
【図８】
0003220013.tif 000010
【図９】
0003220013.tif 000011
【図１０】
0003220013.tif 000012
【図１１】
0003220013.tif 000013
【図１２】
0003220013.tif 000014
【図１３】
0003220013.tif 000015
【図１４】
0003220013.tif 000016
【図１５】
0003220013.tif 000017
【図１６】
0003220013.tif 000018